(57)【要約】【課題】本発明は、ケーブル用コネクタに関し、細線の同軸ケーブルを使用して、携帯電話等の薄型・小型の機器に適した半田付けや組立作業性の良い、且つ、低背のコネクタを提供することが課題である。【解決手段】プリント基板２に表面実装されるレセプタクルコネクタ３と、該レセプタクルコネクタに前記プリント基板の垂直方向から嵌合され同軸ケーブルを半田付けして併設するプラグコネクタ５とでなるケーブル用コネクタ１において、前記レセプタクルコネクタのハウジング本体に固定する雌コンタクトの本体部３ｃを前記プラグコネクタのハウジング本体３ａの下側に配置し、前記雌コンタクトの接触部３ｄは、前記プラグコネクタの雄コンタクトの下位置で前記プリント基板の表面と略平行に延設され前記雄コンタクト５ｆの接触部と共にプリント基板に略垂直に起立して、前記雄コンタクトの接触部に接触するように湾曲して形成されているケーブル用コネクタ１。【選択図】図１
2005302417.tif 000002
【特許請求の範囲】
【請求項１】
プリント基板に表面実装されるレセプタクルコネクタと、該レセプタクルコネクタに前記プリント基板の垂直方向から嵌合され同軸ケーブルを半田付けして併設するプラグコネクタとでなるケーブル用コネクタにおいて、
前記レセプタクルコネクタのハウジング本体に固定する雌コンタクトの本体部を前記プラグコネクタのハウジング本体の下側に配置し、
前記雌コンタクトの接触部は、前記プラグコネクタの雄コンタクトの下位置で前記プリント基板の表面と略平行に延設され前記雄コンタクトの接触部と共にプリント基板に略垂直に起立して、前記雄コンタクトの接触部に接触するように湾曲して形成されていること、
を特徴とするケーブル用コネクタ。
【請求項２】
プリント基板に表面実装されるレセプタクルコネクタと、該レセプタクルコネクタに前記プリント基板の垂直方向から嵌合され同軸ケーブルを半田付けして併設するプラグコネクタとでなるケーブル用コネクタにおいて、
前記プラグコネクタの雄コンタクトは、当該プラグコネクタのハウジング本体の前端から後端に亘って延在させてインサート成形により配設され、
前記雄コンタクトにおける同軸ケーブルとの接続部と、レセプタクルコネクタ側の雌コンタクトとの接続部との間は、上コ字型に屈曲されて形成されていること、
を特徴とするケーブル用コネクタ。
【請求項３】
プリント基板に表面実装されるレセプタクルコネクタと、該レセプタクルコネクタに前記プリント基板の垂直方向から嵌合され同軸ケーブルを半田付けして併設するプラグコネクタとでなるケーブル用コネクタにおいて、
前記レセプタクルコネクタとプラグコネクタとを嵌合させた際に、当該両コネクタの上端面が略面一となること、
を特徴とするケーブル用コネクタ。
【発明の詳細な説明】
【技術分野】
【０００１】
本発明は、例えば、携帯電話に使用される同軸ケーブル又はその他のケーブル用コネクタに関するものである。
【背景技術】
【０００２】
従来、図９に示すように、例えば、ノート型パソコンや折り畳み式の携帯電話１１においては、液晶表示部１１ａとキーボードや操作部のある本体部１１ｂとを電気的に接続するために、図１０に示すように、ヒンジ部１１ｃにおいて主にフレキシブルなフラットケーブル１２が使用されている（特許文献１参照）。
【特許文献１】特開平２００３−４６２７５号公報
【０００３】
しかし、前記携帯電話１１等の機能が多機能化して、図１１に示すように、前記液晶表示部１１ａがヒンジ部１１ｃで折り畳まれるとともに、更に、ヒンジ部１１ｃの軸芯に直交する軸芯ｂの周りに回転するものがある。このような機構においては従来の平板状のフラットケーブル１２では、自由な捻回しができないし、更に、機器の小型化により回転部分のヒンジが細径化されたことにより、アッセンブリされたコネクタを通過させる事ができない。そこで、極細線同軸ケーブル４を使用することで、自由に回転させることができるようになって、その使用が増大している。
【０００４】
そこで、極細線の同軸ケーブル又はその他のケーブル用のコネクタとして、図１２に示すように、プラグコネクタ１３に極細線の同軸ケーブル４を接続して、それを、プリント基板２上に表面実装されたレセプタクルコネクタ１４に嵌合させて、プリント基板間の電気的接続を図っている。係るコネクタにおいては、複数本の同軸ケーブルとアッセンブリした状態で本体部と液晶表示部との両側の基板を接続する必要性と、前記回転部分のヒンジ部を通過させるために、当該コネクタの一層の小型化及び薄型化が要請される。
【０００５】
更に、プリント基板にコネクタを装着する際の作業性から、プリント基板に実装されたレセプタクルコネクタにプラグコネクタを垂直に実装するのが望ましいので、背の高さＨのより一層の低背化が必要となり、コネクタの実装面積も部品実装の高密度化によりコンパクトにする事が要請される。また、雄コンタクト１５とケーブル心線４ａの半田付け作業においては、フラックスの回り込みによる前記雄コンタクト１５と雌コンタクト１６との接触部の障害を無くすことが課題である。
【発明の開示】
【発明が解決しようとする課題】
【０００６】
細線の同軸ケーブルを使用して、携帯電話等の薄型・小型の機器に適した半田付けや組立作業性の良い、且つ、低背で実装面積の少ないコネクタを提供することが課題である。
【課題を解決するための手段】
【０００７】
本発明に係るケーブル用コネクタの要旨は、プリント基板に表面実装されるレセプタクルコネクタと、該レセプタクルコネクタに前記プリント基板の垂直方向から嵌合され同軸ケーブルを半田付けして併設するプラグコネクタとでなるケーブル用コネクタにおいて、前記レセプタクルコネクタのハウジング本体に固定する雌コンタクトの本体部を前記プラグコネクタのハウジング本体の下側に配置し、前記雌コンタクトの接触部は、前記プラグコネクタの雄コンタクトの下位置で前記プリント基板の表面と略平行に延設され前記雄コンタクトの接触部と共にプリント基板に略垂直に起立して、前記雄コンタクトの接触部に接触するように湾曲して形成されていることである。
【０００８】
また、プリント基板に表面実装されるレセプタクルコネクタと、該レセプタクルコネクタに前記プリント基板の垂直方向から嵌合され同軸ケーブルを半田付けして併設するプラグコネクタとでなるケーブル用コネクタにおいて、前記プラグコネクタの雄コンタクトは、当該プラグコネクタのハウジング本体の前端から後端に亘って延在させてインサート成形により配設され、前記雄コンタクトにおける同軸ケーブルとの接続部と、レセプタクルコネクタ側の雌コンタクトとの接続部との間は、上コ字型に屈曲されて形成されていることである。
【０００９】
更に、プリント基板に表面実装されるレセプタクルコネクタと、該レセプタクルコネクタに前記プリント基板の垂直方向から嵌合され同軸ケーブルを半田付けして併設するプラグコネクタとでなるケーブル用コネクタにおいて、前記レセプタクルコネクタとプラグコネクタとを嵌合させた際に、当該両コネクタの上端面が略面一となることである。
【発明の効果】
【００１０】
本発明の同軸ケーブル用コネクタは、レセプタクルコネクタのハウジング本体に固定する雌コンタクトの本体部を前記プラグコネクタのハウジング本体の下側に配置することで、プリント基板上での前記両コネクタの占める実装面積が減少し、プリント基板の有効面積が増大する。
また、雌コンタクトと雄コンタクトとの嵌合時におけるワイピング作用と有効接触面積が確保される。
【００１１】
更に、前記雄コンタクトにおける同軸ケーブルとの接続部と、レセプタクルコネクタ側の雌コンタクトとの接続部との間は、上コ字型に屈曲されて形成されているので、雄コンタクトに同軸ケーブルの心線を半田付けした際のフラックスが、雌コンタクトとの接触部に流れ出ることが防止される。
【００１２】
また、前記プラグコネクタの雄コンタクトは、当該プラグコネクタのハウジング本体の前端から後端に亘って延在させてインサート成形により配設されるので、従来例に比較して、プラグコネクタの強度が増す。
【００１３】
前記レセプタクルコネクタとプラグコネクタとを嵌合させた際に、当該両コネクタの上端面が略同面の位置となるようにしたので、ケーブル用コネクタのプリント基板高さが低くなり、薄型化に対応できる。
【発明を実施するための最良の形態】
【００１４】
本発明に係るケーブル用コネクタ１は、図１に示すように、プリント基板２に表面実装されるレセプタクルコネクタ３と、該レセプタクルコネクタ３に前記プリント基板２の垂直方向から嵌合され同軸ケーブル４を半田付けして併設するプラグコネクタ５とでなる。
【００１５】
前記極細線の同軸ケーブル４は、図２に示すように、プラグコネクタ５，５間に複数本が半田付けにより接続され、アッセンブリされている。そして、図３に示すように、プラグコネクタ５の合成樹脂製のハウジング本体５ａには、雄コンタクト５ｂが当該ハウジング本体５ａの前端から後端に亘って延在させてインサート成形により配設されている。
【００１６】
前記雄コンタクト５ｂが、ハウジング本体５ａのケーブル接続方向でその全長に亘り配設されているので、このハウジング本体５ａの強度が向上している。図４に示すように、この雄コンタクト５ｂを、前記ハウジング本体５ａの略全長に亘る長さにして、その両端部にキャリア部５ｃ，５ｄを設けることで、ハウジング本体用の金型内に配置して、インサート成形が容易になるものである。
【００１７】
また、前記雄コンタクト５における同軸ケーブル４との接続部５ｅと、レセプタクルコネクタ３側の雌コンタクトとの接続部５ｆとの間は、上コ字型に屈曲されて形成されている。
【００１８】
更に、図３（Ａ）に示すように、ハウジング本体の上端部と、接続部５ｅとの高さに段差ａを設けている。これにより、前記接続部５ｅにおいて、同軸ケーブル４の心線４ａを半田付けした際に、フラックスがフラックス溜まり５ｇに溜まるようになり、上コ字型に形成されて、下から上に起立する前記接続部５ｆに付着することがない。なお、図３（Ｂ）に示すプラグコネクタ５は、雄コンタクト５ａの接続部５ｆ側のフラックス溜まりを防止するために、先に上に立ち上げて下コ字型に屈曲させた他の実施例を示している。
【００１９】
また、図３（Ａ），（Ｂ）に示すように、前記ハウジング本体５ａの上部には、金属製のシェル５ｈが固着されており、そのシェル５ｈの内側面に、同軸ケーブル４の編粗網線が接続されたグランドバー４ｂが当接している。このシェル５ｈを介してプリント基板２のグランドに電気的に接地（アース）される。
【００２０】
前記プラグコネクタ５のハウジング本体５ａの形状において、その中央部の下にはレセプタクルコネクタ３との嵌合用に、図５乃至図６に示すように、下向き凹状の空間部５ｉが用意されている。そして、前記レセプタクルコネクタ３のハウジング本体３ａが前記空間部５ｉに嵌合される。
【００２１】
そして、図１に示すように、雌コンタクト３ｂの本体部３ｃを前記ハウジング本体３ａに埋設することで、前記プラグコネクタ５のハウジング本体５ａの下側に配置している。こうして、ケーブル用コネクタ１全体として、実装面積を狭くして尚かつ、プリント基板２面からの背が高くならないようにしている。
【００２２】
前記レセプタクルコネクタ３は、図７乃至図８に示すように、ハウジング本体３ａにプリント基板２に接続する脚部が交互に短長にされた雌コンタクト３ｂが埋設されている。
【００２３】
この雌コンタクト３ｂの接触部３ｄは、図８（Ｃ）に示すように、前記プラグコネクタ５の雄コンタクト５ｂの下位置で、前記プリント基板２の表面と略平行に延設され前記雄コンタクト５ｂの接触部５ｆと共にプリント基板２に略垂直に起立して、前記接触部５ｆに接触するように湾曲して形成されている。
【００２４】
また、符号３ｅは金属製のシェルを示しており、左右端部の固定部３ｆで半田付けされてプリント基板２に表面実装される。
【００２５】
このようにして成るケーブル用コネクタ１においては、図１に示すように、前記レセプタクルコネクタ３とプラグコネクタ５とを嵌合させた際に、当該両コネクタの上端面が略面一となる。ケーブル用コネクタ１のプリント基板２の表面からの背の高さｈは、従来例のコネクタの背の高さよりも低く設定されている。
【図面の簡単な説明】
【００２６】
【図１】本発明に係るケーブル用コネクタ１の使用状態の断面図である。
【図２】同本発明のケーブル用コネクタ１における、プラグコネクタ５のアッセンブリの平面図（Ａ）と、側面図（Ｂ）である。
【図３】同プラグコネクタ５の、図２（Ｂ）におけるＸ−Ｘ線に沿った断面図（Ａ）と、他の実施例に係る断面図（Ｂ）とである。
【図４】同プラグコネクタ５のインサート成形する様子を示す説明図である。
【図５】同プラグコネクタ５の平面図（Ａ）、正面図（Ｂ）、底面図（Ｃ）、背面図（Ｄ）である。
【図６】同プラグコネクタ５の、図５（Ｂ）におけるＹ−Ｙ線に沿った断面図である。
【図７】同ケーブル用コネクタ１におけるレセプタクルコネクタ３の背面図（Ａ）、平面図（Ｂ）、左右側面図（Ｃ），（Ｄ）である。
【図８】同レセプタクルコネクタ３の正面図（Ａ）、底面図（Ｂ）、同図（Ａ）におけるＺ−Ｚ線に沿った断面図（Ｃ）である。
【図９】携帯電話の斜視図である。
【図１０】同ヒンジ部の拡大詳細斜視図である。
【図１１】同ヒンジ部の構造を示す概略構成説明図である。
【図１２】従来例に係るケーブル用コネクタの使用状態の断面図である。
【符号の説明】
【００２７】
１            ケーブル用コネクタ、
２            プリント基板、
３            レセプタクルコネクタ、        ３ａ        ハウジング本体、
３ｂ          雌コンタクト、                ３ｃ        本体部、
３ｄ          接触部、                      ３ｅ        シェル、
４            同軸ケーブル、
５            プラグコネクタ、              ５ａ        ハウジング本体、
５ｂ          雄コンタクト、            
５ｃ，５ｄ    キャリア部、
５ｅ，５ｆ    接続部、                      ５ｇ        フラックス溜まり、
５ｈ          シェル、                      ５ｉ        空間部。
【図１】
2005302417.tif 000003
【図２】
2005302417.tif 000004
【図３】
2005302417.tif 000005
【図４】
2005302417.tif 000006
【図５】
2005302417.tif 000007
【図６】
2005302417.tif 000008
【図７】
2005302417.tif 000009
【図８】
2005302417.tif 000010
【図９】
2005302417.tif 000011
【図１０】
2005302417.tif 000012
【図１１】
2005302417.tif 000013
【図１２】
2005302417.tif 000014